(57)【特許請求の範囲】
【請求項１】
第１ボディと、
前記第１ボディに摺動可能に装着される第２ボディと、
前記第１ボディ又は前記第１ボディと前記第２ボディ間に積層されるように収納される第１及び第２キーパッドを備え、前記第１ボディを開く方向に摺動させると、前記第１及び第２キーパッドが相対的に摺動し、外部に引き出されるキーパッドアセンブリと、を含み、
前記第１ボディは、前面にディスプレイが装着され、その側面に前記キーパッドアセンブリが引き出し可能に収納される収納部が形成され、
第１キーパッドは、前記収納部に摺動可能に装着され、
第２キーパッドは、前記第１キーパッドに積層されるように配置されて前記第１キーパッドに摺動可能に連結され、前記第２ボディの上面に固定され、
前記第１キーパッドは、
前記収納部に摺動可能に装着される第１フレームと、
前記第１フレームに固定される第１基板と、
前記第１基板に装着されて複数のドームスイッチが備えられる第１ＰＣＢと、
前記各ドームスイッチの上面に配置されてこれらドームスイッチを押す各第１キーボタンと、から構成され、
前記第１フレームは、前記第２キーパッドがその内部に摺動可能に収納され、前記第１基板が固定され、その両側の上面は、前記各第１キーボタンが離脱することを防止するために内側方向に折曲されるように形成されることを特徴とする携帯端末機。
【請求項２】
前記収納部は、前記第１ボディに装着されるマルチキーの背面に形成されることを特徴とする請求項１に記載の携帯端末機。
【請求項３】
前記第２ボディは、その内部にはメインＰＣＢが装着され、その背面にはバッテリが装着され、前記バッテリが装着された残りの空間には、比較的体積が大きい部品が装着されることを特徴とする請求項１に記載の携帯端末機。
【請求項４】
前記キーパッドアセンブリは、多層に積層されて互いに摺動可能に連結されることを特徴とする請求項１に記載の携帯端末機。
【請求項５】
前記第１フレームと前記収納部の間には、前記第１フレームを摺動可能にガイドする第１ガイド部が形成されることを特徴とする請求項１に記載の携帯端末機。
【請求項６】
前記第１ガイド部は、前記第１フレームの両側の側面から突設されるガイドピンと、前記収納部の両側の内側面に形成されて前記ガイドピンが挿入されて摺動するガイドスロットと、から構成されることを特徴とする請求項５に記載の携帯端末機。
【請求項７】
前記各第１キーボタンは、２列に配置されることを特徴とする請求項１に記載の携帯端末機。
【請求項８】
前記第２キーパッドは、
前記第１フレームに摺動可能に装着される第２フレームと、
前記第２フレームに固定される第２基板と、
前記第２基板に装着されて複数のドームスイッチが備えられる第２ＰＣＢと、
前記各ドームスイッチの上面に配置されてこれらドームスイッチを押す各第２キーボタンと、から構成されることを特徴とする請求項７に記載の携帯端末機。
【請求項９】
前記第２フレームは、前記第１フレームの内部に摺動可能に配置されて前記第１ボディの上面に固定されることを特徴とする請求項８に記載の携帯端末機。
【請求項１０】
前記第１フレームと第２フレームの間には、前記第２フレームが摺動することをガイドする第２ガイド部が形成されることを特徴とする請求項８に記載の携帯端末機。
【請求項１１】
前記第２ガイド部は、前記第１フレームの両側の側面に形成されるガイドスロットと、前記第２フレームの両側の側面からそれぞれ突出し、前記ガイドスロットに沿って摺動するガイドピンと、から構成されることを特徴とする請求項１０に記載の携帯端末機。
【請求項１２】
前記第１キーパッドの第１ＰＣＢと第２キーパッドの第２ＰＣＢの間は、ＦＰＣにより接続され、前記ＦＰＣは、第１キーパッドと第２キーパッドの間に折り畳まれた状態に配置されることを特徴とする請求項８に記載の携帯端末機。
【発明の詳細な説明】
【技術分野】
【０００１】
本発明は、携帯端末機に関し、特に、キーパッドアセンブリが端末機本体の内部に引き出し可能に収納されるためディスプレイを大きく実現することができ、端末機を小型化し得る携帯端末機に関する。
【背景技術】
【０００２】
図１０は、従来の携帯端末機の斜視図である。
【０００３】
従来のスライドタイプ携帯端末機は、ユーザが入力するキーパッド１０２が装着されて各種の回路部品が実装されるＰＣＢが内蔵される端末機本体１１０と、該端末機本体１１０の前面に摺動可能に装着されて各種の情報を表示するディスプレイ１２２が取り付けられるディスプレイユニット１２０と、から構成される。
【０００４】
前記端末機本体１１０は、その背面にバッテリ１０４が装着され、前記キーパッド１０２は、前記ディスプレイユニット１２０が摺動して開くと、外部に露出する。
【０００５】
前記ディスプレイユニット１２０は、その上側に音を送出するスピーカ１２４が装着され、その下側に機能キー１２６が設置される。
【発明の開示】
【発明が解決しようとする課題】
【０００６】
しかし、前記のように構成された従来のスライドタイプ携帯端末機は、端末機本体１１０にキーパッド１０２が装着され、端末機本体１１０の背面にバッテリ１０４が装着され、キーパッド１０２とバッテリ１０４が装着される部位の間にメインＰＣＢが設置されるために、端末機本体１１０の厚さが厚くなるという問題点があった。
【０００７】
また、従来のストレートタイプ携帯端末機は、図１１に示すように、端末機本体１３０の前面に情報を表示するディスプレイ１３２と、情報を入力するキーパッド１３４が全て装着されるために、端末機が大きくなり、前記ディスプレイ１３２が小さくなるという問題点があった。
【０００８】
本発明は、前記の従来技術の問題点に鑑みてなされたもので、情報を入力するキーパッドアセンブリが端末機本体の内部に積層された状態で収納され、使用する時に外部に引き出され得ることで、ディスプレイを大きくしながらも端末機を小型化し得る携帯端末機を提供することを目的とする。
【課題を解決するための手段】
【０００９】
前記の課題を実現するために、本発明による携帯端末機は、ディスプレイが備えられる端末機本体と、該端末機本体に折り畳まれた状態で収納され、引き出された時に開くキーパッドアセンブリと、から構成されることを特徴とする。
【００１０】
前記端末機本体の側面には、前記キーパッドアセンブリが引き出し可能に収納される収納部が形成されることを特徴とする。
【００１１】
前記キーパッドアセンブリは、前記収納部に摺動可能に装着される第１キーパッドと、該第１キーパッドに摺動可能に積層される第２キーパッドと、から構成されることを特徴とする。
【００１２】
前記第１キーパッドは、前記収納部に摺動可能に装着される第１フレームと、該第１フレームに固定される第１基板と、該第１基板に装着されて複数のドームスイッチが備えられる第１ＰＣＢと、前記各ドームスイッチの上面に配置されてこれらドームスイッチを押す各第１キーボタンと、から構成されることを特徴とする。
【００１３】
前記第２キーパッドは、前記第１フレームに摺動可能に装着される第２フレームと、該第２フレームに固定される第２基板と、該第２基板に装着されて複数のドームスイッチが備えられる第２ＰＣＢと、前記各ドームスイッチの上面に配置されてこれらドームスイッチを押す各第２キーボタンと、から構成されることを特徴とする。
【００１４】
本発明による携帯端末機は、第１ボディと、該第１ボディに摺動可能に装着される第２ボディと、前記第１ボディに収納されて該第１ボディを開く方向に摺動させると、外部に引き出されるキーパッドアセンブリと、から構成されることを特徴とする。
【００１５】
前記第１ボディは、前面にディスプレイが装着され、その側面に前記キーパッドアセンブリが引き出し可能に収納される収納部が形成されることを特徴とする。
【００１６】
前記第２ボディは、その内部にはメインＰＣＢが装着され、その背面にはバッテリが装着され、該バッテリが装着された残りの空間には、比較的体積が大きい部品が装着されることを特徴とする。
【００１７】
上記目的を達成するために、本発明は、例えば、以下の手段を提供する。
（項目１）
ディスプレイが備えられる端末機本体と、
該端末機本体に折り畳まれた状態で収納され、引き出された時に開くキーパッドアセンブリと、を含むことを特徴とする携帯端末機。
（項目２）
前記端末機本体の側面には、前記キーパッドアセンブリが引き出し可能に収納される収納部が形成されることを特徴とする項目１に記載の携帯端末機。
（項目３）
前記キーパッドアセンブリは、前記収納部に摺動可能に装着されて複数のキーパッドが積層されて配置され、互いに摺動可能に連結されることを特徴とする項目２に記載の携帯端末機。
（項目４）
前記キーパッドアセンブリは、前記収納部に摺動可能に装着される第１キーパッドと、該第１キーパッドに摺動可能に積層される第２キーパッドと、から構成されることを特徴とする項目２に記載の携帯端末機。
（項目５）
前記第１キーパッドは、
前記収納部に摺動可能に装着される第１フレームと、
該第１フレームに固定される第１基板と、
該第１基板に装着されて複数のドームスイッチが備えられる第１ＰＣＢと、
前記各ドームスイッチの上面に配置されてこれらドームスイッチを押す各第１キーボタンと、から構成されることを特徴とする項目４に記載の携帯端末機。
（項目６）
前記第１フレームは、その内部に前記第２キーパッドが摺動可能に収納され、その上側に前記第１基板が固定され、その両側の上面は、前記各第１キーボタンが離脱することを防止するために内側方向に折曲されるように形成されることを特徴とする項目５に記載の携帯端末機。
（項目７）
前記第１フレームと前記収納部の間には、前記第１フレームを摺動可能にガイドする第１ガイド部が形成されることを特徴とする項目５に記載の携帯端末機。
（項目８）
前記第１ガイド部は、前記第１フレームの両側の側面から突設されるガイドピンと、前記収納部の両側の内側面に形成されて前記ガイドピンが摺動するガイドスロットと、から構成されることを特徴とする項目７に記載の携帯端末機。
（項目９）
前記各第１キーボタンは、２列に配置されることを特徴とする項目５に記載の携帯端末機。
（項目１０）
前記第２キーパッドは、
前記第１フレームに摺動可能に装着される第２フレームと、
該第２フレームに固定される第２基板と、
該第２基板に装着されて複数のドームスイッチが備えられる第２ＰＣＢと、
前記各ドームスイッチの上面に配置されてこれらドームスイッチを押す各第２キーボタンと、から構成されることを特徴とする項目５に記載の携帯端末機。
（項目１１）
前記第２フレームは、前記第１フレームの内部に摺動可能に配置され、その両側の上面は、前記第２キーボタンが離脱することを防止するように内側方向に折曲されるように形成されることを特徴とする項目１０に記載の携帯端末機。
（項目１２）
前記第１フレームと第２フレームの間には、前記第２フレームが摺動することをガイドする第２ガイド部が形成されることを特徴とする項目１０に記載の携帯端末機。
（項目１３）
前記第２ガイド部は、前記第１フレームの両側の側面に形成されるガイドスロットと、前記第２フレームの両側の側面からそれぞれ突出し、前記ガイドスロットに沿って摺動するガイドピンと、から構成されることを特徴とする項目１２に記載の携帯端末機。
（項目１４）
前記第１キーパッドの第１ＰＣＢと第２キーパッドの第２ＰＣＢの間は、ＦＰＣにより接続され、該ＦＰＣは、第１キーパッドと第２キーパッドの間に折り畳まれた状態に配置されることを特徴とする項目１０に記載の携帯端末機。
（項目１５）
第１ボディと、
前記第１ボディに摺動可能に装着される第２ボディと、
前記第１ボディに収納されて該第１ボディを開く方向に摺動させると、外部に引き出されるキーパッドアセンブリと、を含むことを特徴とする携帯端末機。
（項目１６）
前記第１ボディは、前面にディスプレイが装着され、その側面に前記キーパッドアセンブリが引き出し可能に収納される収納部が形成されることを特徴とする項目１５に記載の携帯端末機。
（項目１７）
前記収納部は、前記第１ボディの下部に装着されるマルチキーの背面に形成されることを特徴とする項目１６に記載の携帯端末機。
（項目１８）
前記第２ボディは、その内部にはメインＰＣＢが装着され、その背面にはバッテリが装着され、該バッテリが装着された残りの空間には、比較的体積が大きい部品が装着されることを特徴とする項目１５に記載の携帯端末機。
（項目１９）
前記キーパッドアセンブリは、多層に積層されて互いに摺動可能に連結されることを特徴とする項目１５に記載の携帯端末機。
（項目２０）
前記キーパッドアセンブリは、前記収納部に摺動可能に装着される第１キーパッドと、
該第１キーパッドに積層されるように配置されて前記第１キーパッドに摺動可能に連結され、前記第２ボディの上面に固定される第２キーパッドと、から構成されることを特徴とする項目１５に記載の携帯端末機。
（項目２１）
前記第１キーパッドは、
前記収納部に摺動可能に装着される第１フレームと、
該第１フレームに固定される第１基板と、
該第１基板に装着されて複数のドームスイッチが備えられる第１ＰＣＢと、
前記各ドームスイッチの上面に配置されてこれらドームスイッチを押す各第１キーボタンと、から構成されることを特徴とする項目２０に記載の携帯端末機。
（項目２２）
前記第１フレームは、前記第２キーパッドがその内部に摺動可能に収納され、前記第１基板が固定され、その両側の上面は、前記各第１キーボタンが離脱することを防止するために内側方向に折曲されるように形成されることを特徴とする項目２１に記載の携帯端末機。
（項目２３）
前記第１フレームと前記収納部の間には、前記第１フレームを摺動可能にガイドする第１ガイド部が形成されることを特徴とする項目２１に記載の携帯端末機。
（項目２４）
前記第１ガイド部は、前記第１フレームの両側の側面から突設されるガイドピンと、前記収納部の両側の内側面に形成されて前記ガイドピンが挿入されて摺動するガイドスロットと、から構成されることを特徴とする項目２３に記載の携帯端末機。
（項目２５）
前記各第１キーボタンは、２列に配置されることを特徴とする項目２０に記載の携帯端末機。
（項目２６）
前記第２キーパッドは、
前記第１フレームに摺動可能に装着される第２フレームと、
該第２フレームに固定される第２基板と、
該第２基板に装着されて複数のドームスイッチが備えられる第２ＰＣＢと、
前記各ドームスイッチの上面に配置されてこれらドームスイッチを押す各第２キーボタンと、から構成されることを特徴とする項目２５に記載の携帯端末機。
（項目２７）
前記第２フレームは、前記第１フレームの内部に摺動可能に配置されて前記第１ボディの上面に固定されることを特徴とする項目２６に記載の携帯端末機。
（項目２８）
前記第１フレームと第２フレームの間には、前記第２フレームが摺動することをガイドする第２ガイド部が形成されることを特徴とする項目２６に記載の携帯端末機。
（項目２９）
前記第２ガイド部は、前記第１フレームの両側の側面に形成されるガイドスロットと、前記第２フレームの両側の側面からそれぞれ突出し、前記ガイドスロットに沿って摺動するガイドピンと、から構成されることを特徴とする項目２８に記載の携帯端末機。
（項目３０）
前記第１キーパッドの第１ＰＣＢと第２キーパッドの第２ＰＣＢの間は、ＦＰＣにより接続され、該ＦＰＣは、第１キーパッドと第２キーパッドの間に折り畳まれた状態に配置されることを特徴とする項目２６に記載の携帯端末機。
【発明の効果】
【００１８】
本発明の第１実施形態による携帯端末機は、キーパッドアセンブリが積層された状態で端末機本体２０の側面に収納され、使用する時は外部に摺動して引き出されるために、端末機本体２０の前面全体にわたりディスプレイ１０を設置することができるので、該ディスプレイ１０を大きくすることができ、端末機全体を小さくすることができるという効果がある。
【００１９】
本発明の第３実施形態による携帯端末機は、キーパッドアセンブリが第１ボディに引き出し可能に収容されているために、第２ボディを小さくすることができ、比較的体積が大きい部品を設置する空間が確保できるので、空間活用度を向上し得るという効果がある。
【発明を実施するための最良の形態】
【００２０】
以下、添付図面を参照して本発明による携帯端末機の実施形態について説明する。
【００２１】
本発明による携帯端末機の実施形態は複数存在するが、以下、最も好ましい実施形態について説明する。
【００２２】
図１は、本発明の第１実施形態によるキーパッドアセンブリが収納された携帯端末機の斜視図であり、図２は、本発明の第１実施形態によるキーパッドアセンブリが引き出された携帯端末機の斜視図である。
【００２３】
本発明の第１実施形態による携帯端末機は、前面に情報を表示するディスプレイ１０が装着され、背面にバッテリ１２が装着される端末機本体２０と、該端末機本体２０に外部引き出し可能に収納されるキーパッドアセンブリ３０と、から構成される。
【００２４】
前記端末機本体２０の前面の上側には、スピーカ１４が装着され、その全面にわたり大型ディスプレイ１０が装着される。また、前記端末機本体２０の側面には、前記キーパッドアセンブリ３０が収納される収納部１６が形成され、該収納部１６は、前記キーパッドアセンブリ３０が引き出されるように開口形成される。
【００２５】
本実施形態においては、前記収納部１６が端末機本体２０の下側面に形成される構造について説明するが、前記収納部１６は、端末機本体２０の左／右側面のうち一側面に形成されてもよい。
【００２６】
図３Ａは、本発明によるキーパッドアセンブリの断面図であり、図３Ｂは、図３ＡのＡ部の拡大図であり、図４は、本発明によるキーパッドが引き出された状態の上面図である。
【００２７】
前記キーパッドアセンブリ３０は、前記収納部１６に摺動可能に収納される第１キーパッド３２と、該第１キーパッド３２の下面に積層されて該第１キーパッド３２に摺動可能に装着される第２キーパッド３４と、から構成される。
【００２８】
前記第１キーパッド３２は、前記収納部１６に摺動可能に装着される第１フレーム４０と、該第１フレーム４０に固定される第１基板４２と、該第１基板４２に装着されて複数のドームスイッチ４４が備えられる第１ＰＣＢ４６と、前記ドームスイッチ４４の上面に配置されてこれらドームスイッチ４４を押す各第１キーボタン４８と、から構成される。
【００２９】
前記第１フレーム４０は、前記第２キーパッド３４がその内部に摺動可能に収納されて上側に前記第１基板４２が固定され、その両側の上面は、内側方向に折曲されて前記第１キーボタン４８が離脱することを防止する。
【００３０】
このような第１フレーム４０の両側の側面と前記端末機本体の収納部１６の両側の側面の間には、前記第１フレーム４０を摺動可能にガイドする第１ガイド部５０、５２が形成される。
【００３１】
これら第１ガイド部５０、５２は、前記第１フレーム４０の両側の側面から突設されるガイドピン５０と、前記収納部１６の両側の内側面に形成されて前記ガイドピン５０が挿入されて摺動するガイドスロット５２と、から構成される。
【００３２】
また、前記ガイドスロット５２の両端部は閉塞されており、前記ガイドピン５０が所定以上摺動することを防止する。
【００３３】
前記第１基板４２は、その両端部が上方に延びて前記第１フレーム４０の両側の内側面にそれぞれ固定され、その上面に第１ＰＣＢ４６が装着される。
【００３４】
前記各キーボタン４８は、それぞれ２列から形成されて前記第１ＰＣＢ４６の上面に位置する。
【００３５】
前記第２キーパッド３４は、前記第１フレーム４０に摺動可能に装着される第２フレーム６０と、該第２フレーム６０に固定される第２基板６２と、該第２基板６２に装着されて複数のドームスイッチ６６が備えられる第２ＰＣＢ６４と、前記各ドームスイッチ６６の上面に配置されてこれらドームスイッチ６６を押す各第２キーボタン６８と、から構成される。
【００３６】
前記第２フレーム６０は、前記第１フレーム４０の内部に摺動可能に配置され、その両側の上面は、内側方向に折曲されて前記各第２キーボタン６８が離脱することを防止する。
【００３７】
前記第１フレーム４０と第２フレーム６０の間には、前記第２フレーム６０が摺動することをガイドする第２ガイド部７０、７２が形成される。
【００３８】
これら第２ガイド部７０、７２は、前記第１フレーム４０の両側の側面に形成されるガイドスロット７２と、前記第２フレーム６０の両側の側面からそれぞれ突出して前記ガイドスロット７２に沿って摺動するガイドピン７０と、から構成される。
【００３９】
前記第２基板６２は、その両端部が上方に延びて前記第２フレーム６０の両側の内側面にそれぞれ固定され、その上面に第２ＰＣＢ６４が装着される。
【００４０】
前記第１ＰＣＢ４６と第２ＰＣＢ６４とは、相互信号伝達のためのＦＰＣ５４により接続される。
【００４１】
該ＦＰＣ５４は、図５及び図６に示すように、その一端が前記第１ＰＣＢ４６の前方に接続され、前記第１キーパッド３２と第２キーパッド３４の間を経由して他端が前記第２ＰＣＢ６４の背面に接続されて折り畳まれた状態で配置される。従って、前記第２キーパッド３４が摺動する時、折り畳まれた部位が前記第２キーパッド３４と共に移動して該第２キーパッド３４の移動を妨害しない。
【００４２】
図７は、本発明の第２実施形態によるキーパッドアセンブリを示す断面図である。
【００４３】
第２実施形態によるキーパッドアセンブリ７４は、各キーパッドが４層に積層されて形成される構造を有する。すなわち、前記キーパッドアセンブリ７４は、最上層に配置される第１キーパッド７６と、該第１キーパッド７６の下面に摺動可能に連結される第２キーパッド７８と、該第２キーパッド７８の下面に摺動可能に連結される第３キーパッド８０と、該第３キーパッド８０の下面に摺動可能に連結される第４キーパッド８２と、から構成される。
【００４４】
このような第２実施形態による各キーパッド７６、７８、８０、８２は、前記第１実施形態で説明したキーパッド３２、３４と同一構造を有して互いに積層されている。また、前記各キーパッド７６、７８、８０、８２のキーボタンは、１列に配列される。
【００４５】
以下、前記のように構成される本発明による携帯端末機の作用について説明する。
【００４６】
端末機を使用するためにユーザが前記キーパッドアセンブリ３０を前記収納部１６から引き出すと、前記第２キーパッド３４が前記第１キーパッド３２から摺動して引き出され、前記第１キーパッド３２が前記収納部１６から摺動して引き出される。すなわち、前記第１フレーム４０に形成された第２ガイドスロット７２に沿って前記第２フレーム６０のガイドピン７０が摺動して前記第２キーパッド３４が外部に引き出され、前記第１フレーム４０に形成された第１ガイドピン５０が前記収納部１６に形成されたガイドスロット５２に沿って移動して前記第１キーパッド３２が引き出される。
【００４７】
図８は、本発明の第３実施形態による携帯端末機の断面図であり、図９は、本発明の第３実施形態による携帯端末機の作動状態図である。
【００４８】
第３実施形態による携帯端末機は、前面にディスプレイ７４が装着される第１ボディ７６と、前記第１ボディ７６に摺動可能に連結される第２ボディ７８と、前記第１ボディ７６と第２ボディ７８の間に装着されて前記第１ボディ７６を摺動可能にガイドするスライドモジュール７５と、前記第１ボディ７６に外部引き出し可能に収納されるキーパッドアセンブリ８０と、から構成される。
【００４９】
前記第１ボディ７６には、ディスプレイ７４が装着され、その上部に音声を再生するスピーカ８１が設置され、その下部にマルチキーパッド８２が設置される。また、該マルチキーパッド８２が設置される部分の下側には、前記キーパッドアセンブリ８０が収納される収納部８３が形成される。ここで、前記マルチキーパッド８２は、その厚さが薄いために、その下側に前記キーパッドアセンブリ８０を収容する空間を十分に確保することができる。
【００５０】
前記収納部８３は、前記マルチキーパッド８２の下側に第１ボディ７６の側面及び下面が開放された形態に形成され、前記キーパッドアセンブリ８０が収納される空間を有する。
【００５１】
前記第２ボディ７８は、前記第１ボディ７６とスライドモジュールにより摺動可能に装着され、その内部には、メインＰＣＢ８４が装着され、その背面には、バッテリ８６が装着される。また、該バッテリ８６が装着された残りの空間には、比較的体積の大きい部品が装着される空間部８８が形成される。ここで、前記体積の大きい部品としては、アンテナ、イヤージャック、スピーカなどが適用される。
【００５２】
前記キーパッドアセンブリ８０は、前記収納部８３に摺動可能に収納される第１キーパッド９０と、該第１キーパッド９０の下面に摺動可能に積層されて前記第２ボディ７８の上面に固定される第２キーパッド９１と、から構成される。
【００５３】
前記第１キーパッド９０は、前記第１実施形態で説明した第１キーパッド３２とその構造が同一であるために、説明を省略する。
【００５４】
また、前記第２キーパッド９１は、前記第１実施形態で説明した第２キーパッド３４とその構造が同一で、前記第２フレーム６０が前記第２ボディ７８の上面に固定される。
【００５５】
以下、このように構成される本発明の第３実施形態による携帯端末機の作用について説明する。
【００５６】
前記第１ボディ７６を開く方向に摺動させると、該第１ボディ７６が第２ボディ７８に対して相対的に摺動する。この時、前記第１ボディ７６の収納部８３に収納されたキーパッドアセンブリ８０が外部に引き出されて前記第２ボディ７８の上面に露出した状態に配置される。
【００５７】
すなわち、前記第２キーパッド９１が第２ボディ７８の上面に固定されているために、前記第１ボディ７６が摺動すると、前記第２キーパッド９１が前記第１キーパッド９０に対して相対的に摺動して外部に露出し、前記第２キーパッド９１の移動が完了すると、前記第１キーパッド９０が収納部から摺動して外部に露出する。
【００５８】
そして、前記第１ボディ７６を閉じる方向に摺動させると、前記とは反対に第１キーパッド９０が第１ボディ７６に形成された収納部８３に収納された後、前記第２キーパッド９１が収納部８３に収納される。
【００５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６０】
情報を入力するキーパッドアセンブリが端末機本体の内部に積層された状態で収納され、使用される時に外部に引き出され得ることで、ディスプレイを大きくしながらも端末機を小型化し得る携帯端末機を提供する。
【００６１】
ディスプレイが備えられる端末機本体と、該端末機本体に折り畳まれた状態で収納され、引き出された時に開くキーパッドアセンブリと、を含むことを特徴とする携帯端末機。
【図面の簡単な説明】
【００６２】
【図１】本発明の第１実施形態による携帯端末機の斜視図である。
【図２】本発明の第１実施形態による携帯端末機の作動状態図である。
【図３Ａ】本発明の第１実施形態によるキーパッドアセンブリの断面図である。
【図３Ｂ】図３ＡのＡ部の拡大図である。
【図４】本発明の第１実施形態によるキーパッドアセンブリの上面図である。
【図５】本発明の第１実施形態によるキーパッドアセンブリの側面図である。
【図６】本発明の第１実施形態によるキーパッドアセンブリが引き出された状態の側面図である。
【図７】本発明によるキーパッドアセンブリの第２実施形態を示す断面図である。
【図８】本発明の第３実施形態による携帯端末機の断面図である。
【図９】本発明の第３実施形態による携帯端末機の作動状態図である。
【図１０】従来のスライドタイプ携帯端末機の斜視図である。
【図１１】従来技術のストレートタイプ携帯端末機の斜視図である。
【符号の説明】
【００６３】
１０：ディスプレイ
２０：端末機本体
３０：キーパッドアセンブリ
３２：第１キーパッド
３４：第２キーパッド
４０：第１フレーム
４２：第１基板
４４：ドームスイッチ
４６：第１ＰＣＢ
４８：第１キーボタン
５０：ガイドピン
５２：ガイドスロット
６０：第２フレーム
６２：第２基板
６４：第２ＰＣＢ
６６：ドームスイッチ
６８：第２キーボタン
【図１】
0004533362.tif 000002
【図２】
0004533362.tif 000003
【図３Ａ】
0004533362.tif 000004
【図３Ｂ】
0004533362.tif 000005
【図４】
0004533362.tif 000006
【図５】
0004533362.tif 000007
【図６】
0004533362.tif 000008
【図７】
0004533362.tif 000009
【図８】
0004533362.tif 000010
【図９】
0004533362.tif 000011
【図１０】
0004533362.tif 000012
【図１１】
0004533362.tif 000013